(57)【要約】  基地局は全二重能力（ダウンリンク・チャネル上で送信すると同時に、アップリンク・チャネル上で受信できる）を有するが、移動局は半二重能力（それぞれが、アップリンク・チャネル上で送信し、ダウンリンク・チャネル上で受信できるが、同時に送受信できない）のみを有するようなワイヤレス・ネットワークにおいて、基地局は、２またはそれ以上のフレーム中にマルチキャスト・データの複製を送信する。アドレスされた移動局のいくつかは、第１フレーム中に送信し、かつ第２フレーム中に受信するようにスケジュールされ、一方、他のアドレスされた移動局は、第１フレーム中に受信し、かつ第２フレーム中に送信するようにスケジュールされる。
2010515385.tif 000002
【特許請求の範囲】
【請求項１】
少なくとも１人の受信者を有するグループに対してアドレスされた特定のデータ・ブロックを含む第１ダウンリンク・フレームをワイヤレスで送信する段階と、
前記少なくとも１人の受信者を有するグループと同一のグループに対してアドレスされた前記特定のデータ・ブロックを含む第２ダウンリンク・フレームをワイヤレスで送信する段階と、
から構成される方法であって、
前記第２ダウンリンク・フレームは、前記受信者の誰からも前記特定のデータ・ブロックの再送信要求を受信することなく送信される、
ことを特徴とする方法。
【請求項２】
前記グループは、１人の受信者から構成されることを特徴とする請求項１記載の方法。
【請求項３】
前記グループは、複数の受信者から構成されることを特徴とする請求項１記載の方法。
【請求項４】
前記第１ダウンリンク・フレームを送信する前記段階に先立って、前記第１ダウンリンク・フレーム中に送信するために前記グループ内の受信者の第１サブセットをスケジュールする段階と、
前記第２ダウンリンク・フレームを送信する前記段階に先立って、前記第２ダウンリンク・フレーム中に送信するために前記グループ内の受信者の第２サブセットをスケジュールする段階と、
をさらに含むことを特徴とする請求項３記載の方法。
【請求項５】
前記第１および第２ダウンリンク・フレームのそれぞれは、前記グループ内の全ての受信者に適用可能な、同一のマルチキャスト・アドレスを含むことを特徴とする請求項１記載の方法。
【請求項６】
命令を含む有形の機械読取り可能な媒体であって、１またはそれ以上のプロセッサによって実行されたとき、
少なくとも１人の受信者を有するグループに対してアドレスされた特定のデータ・ブロックを含む第１ダウンリンク・フレームを送信すること、および、
前記少なくとも１人の受信者を有するグループと同一のグループに対してアドレスされた前記特定のデータ・ブロックを含む第２ダウンリンク・フレームを送信すること、
を含む動作を実行し、
前記第２ダウンリンク・フレームは、前記受信者の誰からも前記特定のデータ・ブロックの再送信要求を受信することなく送信される、
ことを特徴とする物品。
【請求項７】
前記グループは、１人の受信者から構成されることを特徴とする請求項６記載の物品。
【請求項８】
前記グループは、複数の受信者から構成されることを特徴とする請求項６記載の物品。
【請求項９】
前記動作は、
前記第１ダウンリンク・フレーム中に送信するために前記グループ内の受信者の第１サブセットをスケジュールすること、および、
前記第２ダウンリンク・フレーム中に送信するために前記グループ内の受信者の第２サブセットをスケジュールすること、
をさらに含むことを特徴とする請求項８記載の物品。
【請求項１０】
前記第１および第２ダウンリンク・フレームのそれぞれは、前記グループ内の全ての受信者に適用可能な、同一のマルチキャスト・アドレスを含むことを特徴とする請求項６記載の物品。
【請求項１１】
複数の移動局とワイヤレスで通信する基地局から構成される機器であって、
前記基地局は、
特定の宛先アドレスにアドレスされた特定のデータ・ブロックを含む第１ダウンリンク・フレームをワイヤレスで送信し、かつ、
前記特定の宛先アドレスと同一のアドレスにアドレスされた前記特定のデータ・ブロックと同一のブロックを含む第２ダウンリンク・フレームをワイヤレスで送信し、
前記第２ダウンリンク・フレームは、前記特定のブロックの再送信要求を前記特定の宛先アドレスに関連する移動局から受信することなく送信される、
ことを特徴とする機器。
【請求項１２】
前記宛先アドレスは、ユニキャスト・アドレスから成ることを特徴とする請求項１１記載の機器。
【請求項１３】
前記宛先アドレスは、マルチキャスト・アドレスから成ることを特徴とする請求項１１記載の機器。
【請求項１４】
前記基地局は、さらに、
前記第１ダウンリンク・フレームをワイヤレスで送信するのに先立って、前記第１ダウンリンク・フレーム中に前記基地局へ送信するために移動局の第１グループをスケジュールし、かつ、
前記第２ダウンリンク・フレームをワイヤレスで送信するのに先立って、前記第２ダウンリンク・フレーム中に送信するために移動局の第２グループをスケジュールし、
前記第１グループの移動局および前記第２グループの移動局は、前記マルチキャスト・アドレスに関連するデータを受信するために形成される、
ことを特徴とする請求項１３記載の機器。
【請求項１５】
前記基地局は、ダイポール・アンテナをさらに含むことを特徴とする請求項１１記載の機器。
【請求項１６】
特定のデータ・ブロックの第１コピーを含む第１フレームをワイヤレスで受信する段階と、
前記特定のデータ・ブロックの再送信を要求することなく、前記特定のデータ・ブロックと同一のブロックの第２コピーを含む第２フレームをワイヤレスで受信する段階と、
前記第１および第２コピーのうちの少なくとも１つにエラーがあることを識別する段階と、
前記第１および第２コピーから、前記特定のデータ・ブロックのエラーのないコピーを復元する段階と、
から構成されることを特徴とする方法。
【請求項１７】
前記復元する段階は、一方のコピーから不正確に受信されたデータを、他方のコピーから正確に受信されたデータで置き換える段階を含むことを特徴とする請求項１６記載の方法。
【請求項１８】
前記第１フレームをワイヤレスで受信する段階は、前記第１フレームからの誤り訂正符号を使用して前記第１フレーム内のエラーの訂正を試みる段階を含み、
前記第２フレームをワイヤレスで受信する段階は、前記第２フレームからの誤り訂正符号を使用して前記第２フレーム内のエラーの訂正を試みる段階を含み、
前記エラーを識別する段階は、前記第１および第２フレームからの前記誤り訂正符号を使用しても訂正できなかったエラーを識別する段階を含む、
ことを特徴とする請求項１６記載の方法。
【請求項１９】
命令を含む有形の機械読取り可能な媒体を含む物品であって、１またはそれ以上のプロセッサによって実行されたとき、
特定のデータ・ブロックの第１コピーを含む第１フレームをワイヤレスで受信する動作と、
前記特定のデータ・ブロックの再送信を要求することなく、前記特定のデータ・ブロックと同一のブロックの第２コピーを含む第２フレームをワイヤレスで受信する動作と、
前記第１および第２コピーの少なくとも１つにエラーがあることを識別する動作と、
前記第１および第２コピーからの前記特定のデータ・ブロックのエラーのないコピーを復元する動作と、
を含む動作を実行することを特徴とする物品。
【請求項２０】
前記復元する動作は、一方のコピーから不正確に受信されたデータを、他方のコピーから正確に受信されたデータで置き換える動作を含むことを特徴とする請求項１９記載の物品。
【請求項２１】
前記第１フレームをワイヤレスで受信する動作は、前記第１フレームからの誤り訂正符号を使用して、前記第１フレーム内のエラーの訂正を試みる動作を含み、
前記第２フレームをワイヤレスで受信する動作は、前記第２フレームからの誤り訂正符号を使用して、前記第２フレーム内のエラーの訂正を試みる動作を含み、
前記エラーを識別する動作は、前記第１および第２フレームからの前記誤り訂正符号を使用しても訂正できなかったエラーを識別する動作を含むことを特徴とする請求項１９記載の物品。
【発明の詳細な説明】
【技術分野】
【０００１】
本発明は、ワイヤレス・ネットワークにおける冗長性のあるマルチキャスト・サービスに関する。
【背景技術】
【０００２】
ＷｉＭＡＸネットワークで許容されるような半二重周波数分割複信（ＨＦＤＤ）を使用するワイヤレス・ネットワークにおいて、基地局は全二重能力を有する。すなわち、基地局は、ある周波数でダウンリンク・トラフィックを送信し、同時に別の周波数でアップリンク・トラフィックを受信することができる。しかしながら、ネットワーク内の移動局のいくつかまたは全ては、半二重能力のみを有する。すなわち、それらは、ある周波数で送信し、別の周波数で受信することができるが、両方を同時に行なうことができない。このような条件下でネットワーク全体を効率化するためには、基地局は、アップリンクおよびダウンリンクの両方のチャネルにおけるアイドル時間を最小限にするような方法によって、基地局がいくつかの移動局に送信すると同時に他の移動局から受信するように、トラフィックを慎重にスケジュールすべきである。この点に関して、マルチキャスト・トラフィック、特にマルチキャスト／ブロードキャスト・サービス（ＭＢＳ）トラフィックは、多数の（おそらく全ての）移動局が同時に同じダウンリンク・トラフィックを受信可能にする必要があり、したがって、その期間中にアップリンク通信を移動局に送信するがことができなくなるので、特に問題を呈する。これによって、ネットワークのアップリンク能力が、非能率的に使用される結果となる。
【図面の簡単な説明】
【０００３】
本発明のいくつかの実施例は、以下の記述および本発明の実施例を図示するために使用される添付図面を参照することにより理解することができる。
【図１】本発明の実施例に従って、アップリンクおよびダウンリンク・トラフィックに関する図を示す。
【図２】本発明の実施例に従って、基地局によって移動局をスケジュールする方法に関するフローチャートを示す。
【図３】本発明の実施例に従って、基地局によってデータを再送信する方法に関するフローチャートを示す。
【図４】本発明の実施例に従って、移動局によってデータの複製セットを受信する方法に関するフローチャートを示す。
【図５】本発明の実施例に従って、ワイヤレス・ネットワークを示す。
【発明を実施するための形態】
【０００４】
以下の記述において、多数の特定の詳細事項が述べられる。しかしながら、本発明の実施例は、これらの特定の詳細事項が無くても実施可能であると理解される。また、周知の回路、構造、および技術については、記述の理解を妨げないように、詳細に示されていない。「一実施例」、「ある実施例」、「実施例」、「様々な実施例」等に関し、本発明の実施例が、特定の外形、構造、または特徴を含むことを示すが、すべての実施例が必ずしも特定の外形、構造、あるいは特徴を含むとは限らない。さらに、いくつかの実施例は、他の実施例について記述された特徴のいくつかまたは全てを有する場合もあり、あるいは有しない場合もある。
【０００５】
以下の記述および請求項において、「結合された」および「接続された」という用語が、それらの派生語と共に使用されることがある。これらの用語は、互いに同義語であると解釈すべきでない場合があることを理解すべきである。むしろ、特定の実施例では、「接続された」は、２またはそれ以上の要素が互いに直接に物理的または電気的に接触していることを示すために使用される。「結合された」は、２またはそれ以上の要素が、互いに協力または作用し合うことを示すために使用されるが、それらは直接に物理的または電気的に接触している場合もあり、接触していない場合もある。
【０００６】
請求項中で使用されるように、共有要素について記述するために、順序を表す形容詞「第１」、「第２」、「第３」等が使用される場合があるが、これらは別段の定めがない限り、単に、類似の要素の異なる事例が引用されることを意味し、そのように記述された要素が、一時的、空間的に付与された順序、序列、または他の方法で並んでいることを意味しない。
【０００７】
本発明の様々な実施例は、ハードウェア、ファームウェア、およびソフトウェアの１つまたは任意の組み合わせにおいて実施することができる。本発明は、さらに、機械読取り可能な媒体に含まれる命令として実行され、ここに記述された動作性能を可能にするために、１またはそれ以上のプロセッサによって読取られかつ実行される。機械読取り可能な媒体は、機械（例えばコンピュータ）によって読取り可能な形式で情報を格納し、送信し、または取得するためのあらゆるメカニズムを含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置などのような格納媒体を含が、これら制限されない。機械読取り可能な媒体は、さらに、命令を、電磁的、光学的、または音響的な搬送波信号等にコード化するために変調された伝播信号を含むが、これらに制限されない。
【０００８】
用語「ワイヤレス」およびその派生語は、非固体媒体を通じて、変調された電磁放射を使用することによってデータを通信する、回路、装置、システム、方法、技術、通信チャネルなどについて記述するために使用される。この用語は、いくつかの実施例では、関連する装置が電線を含まないことを意味する場合もあるし、意味しない場合もある。用語「モバイル・ワイヤレス装置」は、移動している間も通信できる能力を備えたワイヤレス装置について記述するために使用される。
【０００９】
本発明のいくつかの実施例は、マルチキャスト・データ・トラフィックの特定のセットを、２度以上、別個のフレームで送信する。ここで使用されるように、マルチキャスト・トラフィックとは、複数の既知の宛先装置（例えばワイヤレス移動局）が、送信において同一の宛先アドレスを認識し、かつその宛先アドレスに関連するデータを受信するように形成された送信を意味する。これは、ユニキャスト（各宛先アドレスは、単一の宛先装置のみにより認識される）、およびブロードキャスト（送信は、それを受信可能なチャネル上のあらゆる装置に向けられる）とは異なる。本記述の目的のために、「マルチキャスト」は、さらに、特定のモバイル装置の既知のセットが、送信中の宛先アドレス以外の識別子に基づいて、その送信を受信するために意図される送信を含む。
【００１０】
同時に受信および送信ができない移動局に対して、同一のマルチキャスト・トラフィックを２度以上送ることによって、これらの移動局のいくつかは、最初のダウンリンク・フレーム中にアップリンク送信を行い、かつ後続のダウンリンク・フレーム中にユニキャスト・トラフィックを受信し、一方、他の移動局は、最初のダウンリンク・フレーム中にユニキャスト・トラフィックを受信し、かつ後続のダウンリンク・フレーム中にアップリンク送信を行なうことが可能になる。したがって、全ての指定移動局は、マルチキャスト・トラフィックを受信する機会を得ることができ、一方で、いくつかの移動局からの送信は両方のフレーム中に生じ、それによって、ネットワークの利用可能なアップリンク帯域幅をより効率的に利用することができる。あらゆる移動局がいつ送信すべきかを基地局が制御する場合、基地局は、全体的なネットワークの効率化のために、このようなトラフィックの混合をスケジュールする。従来の基地局は、同一データの再送信が要求されたとき（例えば、データが受信時に破損し、移動局が再送信を要求する場合等）、同一の宛先装置に同一データを再送するが、ここに記述された実施例は、宛先装置によって要求されなくても、同一データを２度送信する。（注：本記述の文脈において、送信、受信、トラフィック、チャネル、フレーム、アップリンク、およびダウンリンクは、別段の定めがない限り、すべてワイヤレス通信に関するものである。）
【００１１】
図１は、本発明の実施例に従って、アップリンクおよびダウンリンク・トラフィックの図を示す。図は一定の縮尺で描かれたものではなく、したがって、図中のそれらの相対的な寸法に基づいて、異なる部分の送信の相対的な長さおよび継続時間に関する推論を導くべきではない。図示された実施例において、縦軸は、２つのチャネル、すなわち、一方は、基地局から様々なモバイル装置へのダウンリンク送信のためのワイヤレス・チャネル、他方は、モバイル装置から基地局へのアップリンク送信のためのワイヤレス・チャネルを示す。様々な実施例において、「チャネル」は、単一の周波数、周波数帯、あるいは周波数または周波数帯の集合を表わし、これら全てがデータのパッケージを送信するために使用される。様々な変調技術、例えば、１）符号分割多元接続（ＣＤＭＡ）、２）周波数分割多元接続（ＦＤＭＡ）、３）直交周波数分割多元接続（ＯＦＤＭＡ）、４）超広帯域（ＵＷＢ）、または、５）他の実現可能なあらゆる変調技術、などが使用されるが、これらに制限されない。横軸は、時間を示す。ｔ１は、第１のダウンリンク・フレームが送信される時間を示し、一方、ｔ２は、それに続いて第２のダウンリンク・フレームが送信される時間を示す。図示されるように、アップリンク送信はダウンリンク・フレームと一致する。
【００１２】
いくつかの実施例では、各ダウンリンク・フレームは、受信装置が次のデータ上で同期することを可能にするプリアンブル１、ダウンリンク・フレームのコンテンツを定義するＭＡＰ２、および複数の特定の移動局に向けられたデータを含むマルチキャスト部分３で始まる。第１ダウンリンク・フレームの残余４、および第２ダウンリンク・フレームの残余５は、個々の移動局へアドレスされたユニキャスト・データのような他のデータを含む。各ＭＡＰは、例えば、１）宛先アドレスが現在ダウンリンク・フレームにあり、それらに関連するデータがフレーム内のどこに位置するか、２）装置がアップリンク・チャネル上で送信することを許可され、それらが特定の送信のためにいつ認可されるか、等のような様々な事柄を示すが、これらに制限されない。いくつかの例では、特定のダウンリンク・フレームは、後続のダウンリンク・フレーム中に１またはそれ以上の特定のモバイル装置が送信することを許可するＭＡＰ情報を含む。
【００１３】
さらに、２つのアップリンク時間が示される。領域６は、特定の指定された移動局が、アップリンク・チャネル上で送信するために予定された時間を示す。この時間ｔ１は、１番目に示されたダウンリンク・フレームと一致する。領域７は、他の指定された移動局が、アップリンク・チャネル上で送信するために予定された時間を示す。この第２の時間ｔ２は、２番目に示されたダウンリンク・フレームと一致する。
【００１４】
多くの移動局は、ダウンリンク・チャネル上で受信し、かつアップリンク・チャネル上で送信することができるが、同時に送信および受信することはできない。したがって、特定の移動局がアップリンク・チャネル上で送信している場合、それ自体が送信している間は、ダウンリンク・チャネル上で何も受信することができなくなる。特定の移動局は、ダウンリンク・フレームの全期間送信していないが、そのダウンリンク・フレーム中に何かを受信するためには、特定の移動局はプリアンブル（後続のデータ上で同期するため）およびＭＡＰ（そのデータがある場合には、そのフレーム内のどこにあるかを見出すため）を受信できなければならない。したがって、ダウンリンク・フレームのプリアンブルおよび／またはＭＡＰの間に送信している移動局は、そのダウンリンク・フレーム中に何も受け取ることができない。
【００１５】
基地局は各移動局に対する通信をスケジュールするので、基地局は、特定の移動局が特定のダウンリンク・フレームのいかなる部分を受信する必要があるのかを決定する。例えば、ダウンリンク・フレームが、ユニキャスト・アドレス、マルチキャスト・アドレス、またはブロードキャストのいずれを介しても、その特定の移動局に対する指示を何も含まない場合は、移動局は、その特定のダウンリンク・フレームを受信する必要はなく、あるいはその特定のダウンリンク・フレームの存在さえ知る必要もない。基地局が、特定の移動局がダウンリンク・フレームのいかなる部分も受信する必要がないことを決定した場合は、その特定の移動局は、ダウンリンク・フレーム中に送信するようにスケジュールされる。
【００１６】
しかしながら、基地局と通信している稼動中の移動局の全部または大部分に向けられる、マルチキャスト・ブロードキャスト・サービス（ＭＢＳ）送信のようないくつかのタイプのマルチキャスト送信がある。従来のネットワークでは、基地局は、これらのいずれの指定受信者についても、ダウンリンク・フレームのプリアンブル、ＭＡＰ、またはマルチキャスト部分の間に送信するようにスケジュールしていなかった。そのため、ダウンリンク・フレームのこれらの部分の間は、アップリンク・チャネルを未使用のまま、あるいは十分に使用しないまま残すことになり、結果としてネットワークの容量を非効率に使用していた。
【００１７】
本発明のいくつかの実施例では、マルチキャスト部分は、後続のダウンリンク・フレーム中に再度送信される。同じマルチキャスト部分を２度送信することによって、そのマルチキャスト送信の指定受信者は、２つのグループに分割される。第１のグループは、第１のダウンリンク・フレーム中にマルチキャスト送信を受信し、かつ第２のダウンリンク・フレーム中に送信するようにスケジュールされ、一方、第２のグループは、第１のダウンリンク・フレーム中に送信し、かつ第２のダウンリンク・フレーム中にマルチキャスト送信を受信するようにスケジュールされる。このような方法によって、アップリンク・チャネルは、両方のダウンリンク・フレーム中に効率的に利用され、また、マルチキャスト送信の全ての指定受信者が、それを受信する機会を得られる。
【００１８】
いくつかの実施例では、複製されたマルチキャスト部分を含む２つのダウンリンク・フレームは、基地局から送信された連続するフレームであるが、他の実施例では、他のダウンリンク・フレームがこれら２つのダウンリンク・フレームの間に送信されてもよい。前者の例は、マルチキャスト・データの複製されたコピーを伝送するために２つのフレームを使用するが、他の実施例は、２つを越えるフレーム中に同一の情報を送信することによってこの原理を拡張し、また、指定受信者を２つを越えるグループに相応に分割する。前者の例は、マルチキャスト送信のみを複製するが、他の実施例では、他のタイプの送信を複製してもよい。
【００１９】
図２は、本発明の実施例に従って、基地局によって移動局をスケジュールする方法に関するフローチャートを示す。フローチャート２００において、基地局は、いずれの受信者が、複数の受信者に対してアドレスされた送信を受信するために指定されるべきかを決定する（すなわち、その送信は、複数の移動局が、同一のメッセージを受信するために指定されることを示す１またはそれ以上のアドレスを含む）。
【００２０】
２２０において、基地局は、受信者を２つ（またはそれ以上）のサブセットに分割する。これらの受信者のデータ・トラフィックを基地局へ返送するために受信者をスケジュールする場合、２３０において、基地局は、第１サブセットのメンバについては、基地局からの第１ダウンリンク・フレームのために予定された時間中に受信し（すなわち、送信しない）、かつ、基地局からの第２ダウンリンク・フレームのために予定された時間中に送信するようにスケジュールする。同様に、２４０において、基地局は、第２サブセットのメンバについては、基地局からの第１ダウンリンク・フレームのために予定された時間中に送信し、かつ、基地局からの第２ダウンリンク・フレームのために予定された時間中に受信するようにスケジュールする。
【００２１】
２５０および２６０において、基地局は、第１および第２ダウンリンク・フレームを送信する。第２ダウンリンク・フレームは、第１ダウンリンク・フレーム中のペイロードの同様の部分を複製した部分を含み、それは、第１および第２グループの全てのメンバによって受信されることが意図されている。ペイロードのこの部分を複製することによって、予め定められた両方の受信者グループの全メンバは、少なくとも１つのダウンリンク・フレーム中にその部分を受信する機会を得る。上述したように、様々な実施例において、２つのダウンリンク・フレームは、連続的に送信されたフレームであってもよく、そうでなくてもよい。
【００２２】
これと同じ概念（後続フレーム中のフレームの部分を再送する）は、さらに他の長所を有する。従来のネットワークでは、チャネル条件に依存して、受信の際にフレームのいくつかのランダム部分が破損されることがあり、受信装置は、フレームの全部または一部分の再送信を要求しなければならなかった。そのような再送信を要求し、スケジュールし、実行することは、チャネルの処理能力に対して深刻な不利益を及ぼす。しかしながら、同一の受信者に対して、２つの別個のフレームで、同一のデータが２度送信される場合は、１つのフレームの破損された部分は、他のフレーム内では正確に受信されるので、受信装置は、各フレームの正確な部分を組み合わせることにより、元のデータを全て復元することができ、それによって、再送信を要求する必要性を回避することができる。同一データを２度送信することによって失われる時間は、より速い変調速度を用いて節約される時間によって十分に補填されるので、基地局は、たとえこれによって受信データエラーが増加したとしても、変調速度（従ってデータのスループット速度）を増加させることができるので、この技術は、上記のような改善を提供することができる。
【００２３】
図３は、本発明の実施例に従って、基地局によってデータを再送信する方法に関するフローチャートを示す。フローチャート３００は、重複送信を用いて変調速度を増加させる一方で、自動的に変調速度を調整してチャネル条件の変更を補填する方法を示す。３１０で、基地局は、第１フレームで特定の移動局へデータを送信する。３２０で、基地局は、第２フレームでその同じデータを同じ移動局へ送信し、その結果、移動局は、第１フレームで不正確に受信された全てのデータを復元する。
【００２４】
３３０で、基地局は、モバイル装置によって調べられたエラー率を決定する。多くの実施例では、この決定は、基地局が、その装置自体がエラー率を計算するようなモバイル装置からの送信中にエラー率を受信する場合に生じる。エラー率は、ある適切な時間内に決定されるが、いくつかの実施例では、複数のフレームを含む。エラー率は、後述するような様々なタイプのエラーを表す。３４０で、エラー率は、予め定義した値「Ｘ」と比較される。エラー率がその値よりも小さい場合は、基地局は、その移動局への後続の送信のために、３５０で、変調速度を増加させる。エラー率が「Ｘ」を超える場合、それは、３６０で、より高いエラー率「Ｙ」と比較される。エラー率が「Ｙ」を超えた場合は、基地局はその移動局への後続の送信のために、３７０で、変調速度を減少させる。エラー率が「Ｘ」と「Ｙ」との間に低下した場合は、その移動局への後続の送信のために、変調速度はそのまま変更されない。ＸとＹに対する値は、様々な基準に基づいて選択される。いくつかの実施例では、「Ｘ」および／または「Ｙ」の値は、様々な基準に基づいて、ネットワーク・オペレーション中に動的に変更される。
【００２５】
図４は、本発明の実施例に従って、移動局によってデータの複製セットを受信する方法に関するフローチャートを示す。フローチャート４００において、４１０で、移動局は、移動局に対してアドレスされたデータの特定のセットを含む第１フレームを受信し、データ内のあらゆる訂正不可能なエラーの位置を捜し当てる。訂正不可能なエラーとは、例えば、データの終端にある誤り訂正記号（ＥＣＣ）のようなフレーム内のエラー訂正情報を使用しても訂正することができないエラーである。ＥＣＣまたは他の自己が有する情報を使用して訂正することができるあらゆるエラーは、可能な範囲までこの時期に訂正される。４２０で、移動局は、データの同一セットのコピーを含む第２フレームを受信し、再び、あらゆる訂正可能なエラーを訂正し、あらゆる訂正不可能なエラーの位置を捜し当てる。ワイヤレス通信におけるエラーの典型的なランダム特性により、第１フレーム内の訂正不可能なエラーは、第２フレーム内の訂正不可能なエラーとはデータ内の異なる場所に位置する可能性がある。あるエラーが、１つのフレームの特定の位置で見つかった場合は、他のフレーム内の同じ位置にはエラーが含まれない可能性が非常に高い。１つのフレームからのデータの破損された部分を、他のフレームからのそれと同一のデータの正確に受信された部分で置き換えることによって、４４０で、そのデータのエラーの無いセットを構築することが可能になる。エラーが両方のフレーム内の同じ位置で生じた場合、移動局は、例えばデータの再送信を要求する（図示せず）といった他の訂正動作を行なわなければならないが、それに制限されない。
【００２６】
本発明のいくつかの実施例は、発生するエラー率が全体的なスループットを低減させるほどに非常に大きくなるまで変調速度を増加させることによって、全体的なスループットを最大限にしようとするものである。これは、４５０でエラー率を決定し、４６０で基地局にそのエラー率の値を送信することによって遂行される。その後、基地局は、上記の図３で示したように、この移動局に対する後続の送信のために変調速度を増加させ、あるいは減少させる。エラー率は、例えば４４０で動作によって訂正することができなかったエラーのみを計数するような様々な方法で決定されるが、これに制限されない。全体的なスループットは、例えば、１）再送信要求せずに、単位時間当たりの受信フレーム数、２）再送信要求せずに、単位時間当たりの受信マルチキャスト・ブロック（または、データの他の特定のサブフレーム・ブロック）数、３）再送信要求せずに、単位時間当たりの全データ量、４）その他、のような様々な方法で決定されるが、これらに制限されない。スループットのいくつかのバージョンは、１を超えるフレームで送信された複製ブロックの一例のみについて考慮しているが、他のバージョンは、かかるブロックの両方（またはデータが二度以上送信される場合は、全て）について考慮する。
【００２７】
図５は発明の実施例に従って、ワイヤレス・ネットワークを示す。ネットワーク５００において、基地局５１０は、アンテナ５１２を介して複数の移動局とワイヤレスで通信することができる。本実施例の目的のために、移動局は２つのグループに分割される。第１グループは、アンテナ５５２を具備する２つの移動局５５１を含み、一方、第２グループは、アンテナ５６２を具備する３つの移動局５６１を含む。この区別は、ネットワーク内の移動局が、動作目的のために複数のグループに人為的に分割され得ることを単に示すものである。実際には、各グループは、ここに示された移動局よりも多数の、または少数の移動局を含んでもよく、与えられた移動局は、あるグループから他のグループに移動されてもよく、また、一方のグループ内のいかなる移動局も、一方のグループ内の他の移動局と異なっていてもよく、あるいは同一でもよい。各移動局は、例えば、１）ラップトップまたはノート型コンピュータ、２）パーソナル・データ・アシスタント、３）携帯電話、４）ウルトラモバイル装置、（５）その他、などのような任意の実現可能なモバイル・ワイヤレス装置であるが、それらに制限されない。各アンテナは、例えば、１）ダイポール・アンテナ、２）モノポール・アンテナ、３）スロット・アンテナ、４）などのような任意の実現可能なアンテナであるが、それらに制限されない。
【００２８】
以上は、例示目的のための記述であり、制限するものではない。多数の変更が、当業者には想起されるであろう。それらの変更は、本発明の様々な実施例に包含されるものであることが意図され、以下の請求項の精神および範囲のみによって制限される。
【図１】
2010515385.tif 000003
【図２】
2010515385.tif 000004
【図３】
2010515385.tif 000005
【図４】
2010515385.tif 000006
【図５】
2010515385.tif 000007
【国際調査報告】
2010515385.tif 000008
2010515385.tif 000009